(57)【要約】【課題】  有極、無極を問わず、すべてのマウント回路部品を確実に浸漬半田付けができるようにした電子機器の回路基板を提供する。【解決手段】  回路基板上の複数の回路部品のマウント位置と回路部品の端子の方向とを表示するマークを設けて、マークによって表示される当該回路部品の当該方向を半田浸漬方向に合致するように揃える。【選択図】  図１
2005277085.tif 000002
【特許請求の範囲】
【請求項１】
複数の回路部品を配置する電子機器の回路基板であって、
当該回路基板上の当該複数の回路部品のマウント位置と、
当該回路部品の端子の方向と、
を表示するマークを設けて、当該マークによって表示される当該回路部品の端子の方向を半田浸漬方向に合致するように揃えてなる上記電子機器の回路基板。
【請求項２】
電子機器の複数の回路部品を配置する電子機器の回路基板の半田浸漬方向認知方法であって、
当該回路基板上の複数の回路部品のマウント位置と、当該回路部品の端子の方向と、を表示するマークを、当該マークが表示する各回路部品の端子の方向を半田浸漬方向に合致するように揃えて、当該回路基板に配置し、
当該回路基板上に当該マークに従って回路部品をマウントし、
マウントされた回路部品の当該端子の方向から当該回路基板の半田浸漬方向を認知するようにした、
上記方法。
【発明の詳細な説明】
【技術分野】
【０００１】
この発明は、電子機器の複数の回路部品を配置する電子機器の回路基板の半田浸漬方向認知方法に関する。
【背景技術】
【０００２】
電子機器の製造ラインにおいて、回路部品を半田付けするために基板を半田槽に浸漬させる工程において、１）各回路部品をその端子の方向を揃えて基板上にマウントし、２）回路基板の浸漬方向を一定にすることは、回路部品の端子への半田の供給を安定させてピンホールなしの信頼性の高い回路基板を得るために、重要である。
【０００３】
そのため、特許文献１は、半田付けのために回路基板を浸漬する方向を表示した表示部を備えた回路基板を開示している。しかし、回路基板の半田槽浸漬方向を知るためには、その表示部を捜す必要があり、労力と時間が必要であった。さらに、表示部を設けるために、回路基板上にその空所を見つけ出す必要があった。また、浸漬方向を一定にしても、端子の方向を揃えて各回路部品をマウントすることを確実に行うことはできない。
【０００４】
また、特許文献２は、マウントや試験の便宜を改善するために、回路部品の極性を表示するマークを備えた回路基板を開示している。しかし、この開示された回路基板は、回路部品の極性を表示することにより、単に組立て工程の合理化を目的とするものであって、半田浸漬方向を認知するための回路基板を提供することはできない。
【０００５】
【特許文献１】特許出願公開特開平９−２３２７０２号公報
【特許文献２】特許出願公開特開昭５０−１５０５８号公報
【発明の開示】
【発明が解決しようとする課題】
【０００６】
この発明は、このような先行技術が持つ欠点がなく、有極、無極を問わず、すべてのマウント回路部品を確実に浸漬半田付けができるようにした回路基板と半田浸漬方向認知方法を提供することである。
【課題を解決するための手段】
【０００７】
この課題は、この発明による、回路基板上に複数の回路部品のマウント位置と回路部品の端子の方向とを表示するマークを設けて、マークによって表示される当該回路部品の端子の方向を半田浸漬方向に合致するように揃えてなる電子機器の回路基板によって達成される。
【０００８】
さらに、この課題は、回路基板上に複数の回路部品のマウント位置と回路部品の端子の方向とを表示するマークを、当該マークが表示する各回路部品の端子の方向を半田浸漬方向に合致するように揃えて、回路基板に配置し、回路基板上にマークに従って回路部品をマウントし、マウントされた回路部品の端子の方向から当該回路基板の半田浸漬方向を認知するようにした方法によって達成される。
【発明の効果】
【０００９】
この発明は、浸漬半田付け中に、半田が回路基板上の各回路部品の端子に対して確実に供給されるように、端子の方向を半田浸漬方向に揃えることが容易にできるので、ピンホールなしの信頼性の高い回路基板を得ることができる。
【発明を実施するための最良の形態】
【００１０】
この発明の実施例が示される図１を参照すると、電子機器、特に、AV機器の回路基板１０が示されている。その縁部にAV入出力端子コネクター５０、６０、及び７０、及び、回路部品のマウント位置を示すために、その回路基板上にマウントする位置にマーク２０、３０を設ける。部品の種類を示すために、図１に示すようにこれらのマークは形状や大きさの変更が可能である。マーク２０、３０は、その一部に、基板上にマウントする回路部品の端子の方向を表示する端子方向表示部２０ａ、３０ａを持つ。この端子方向表示部２０ａ、３０ａが表示する回路部品の端子方向は、回路基板の半田浸漬方向１００に対して一定の位置関係を持つ。すなわち、この図１の実施例では、回路基板の半田浸漬方向１００は、コンデンサーマウント用のマーク２０の端子方向表示部２０ａに垂直であると表示され、トランジスターマウント用のマーク３０の端子方向表示部３０ａに平行であると表示されている。
【００１１】
上述のように、回路部品のマウント位置と当該回路部品の端子の方向とを回路基板上に一定の規則でマークをつけることにより、マウントされた回路部品の方向を見るだけで、当該回路基板の半田浸漬方向が認知することができるので、特許文献１で開示された半田浸漬方向を表示する特別の表示部を回路基板上に用意する必要はない。したがって、当該半田浸漬方向表示部のためのスペースを回路基板上に確保することも不要になる。かつ、特許文献１の半田浸漬方向表示部は回路基板上に一箇所しかないので、半田浸漬工程において、一つしかない表示を回路基板上で探すことにある程度の時間を要していたが、本発明による回路基板によれば、回路基板上に複数配置されている回路部品のマウント方向を一瞬見るだけで、半田浸漬方向を認知することができ、生産効率の向上に資する。
【００１２】
ここで、上記の回路基板にこれらのマークに従って回路部品をマウントすると、マウントされた回路部品の端子の方向から当該回路基板の半田浸漬方向１００を容易にしかも確実に認知することができる。
【００１３】
この発明により、回路基板上にマウントされた回路部品の端子マウント方向から、当該回路基板の半田浸漬方向１００を容易に認知することができるだけでなく、AV機器のフロント側に対応する回路基板の縁１１とリアー側に対応する回路基板の縁１２とを認知することも容易になる。図示するように、縁部に位置するAV入出力端子などのコネクター５０、６０、７０の位置関係のみによって、フロント対応縁１１とリアー対応縁１２を判別することは、両縁に類似する形状のAV端子コネクター５０及び６０が存在し相当の注意力を要するが、本発明の方法によれば、マーク２０、３０により、容易にしかも確実にフロント対応縁１１とリアー対応縁１２を認知することができる。
【産業上の利用可能性】
【００１４】
以上の説明から、この発明の回路基板と方法は、回路部品の端子への半田の供給を安定させてピンホールなしの信頼性の高い回路基板を得るという産業上の利用可能性を有する。
【図面の簡単な説明】
【００１５】
【図１】この発明の実施例の概要図である。
【符号の説明】
【００１６】
１０  AV機器の回路基板
５０、６０、及び７０  AV入出力端子コネクター
２０、３０  マーク
【図１】
2005277085.tif 000003